(57)【要約】【課題】摺動建具の傾き修正作業を一人で短時間に正確にかつ容易に行うことができる建具用滑り具を提供することにある。【解決手段】本体部２と高さ調整係合部３と出没操作機構４とからなる建具用滑り具１であって、本体部２は縦孔１４と凹部１７と縦孔１４に側方から通ずる横孔１５とを有し、高さ調整係合部３は当接部２１とこの当接部２１の片側に取り付けたて本体部２の凹部１７に出没係合する係合凸部１９とからなり、出没操作機構４は当接部２１の片側に取り付けたネジ軸２２と、本体部２の縦孔１４に取り付けた上記ネジ軸２２にねじ合わされる傘歯車Ａと、傘歯車Ａと噛み合う傘歯車Ｂと、傘歯車Ｂの裏側に取り付けて本体部２の横孔１５に回転可能に装着される操作軸部２４とからなる構成である。【選択図】  図２
2006070442.tif 000002
【特許請求の範囲】
【請求項１】
障子や引き戸や襖等の摺動建具（家具の引き戸も含む。）の下端側の側部に形成した開口に通じるように摺動建具の下端から内部にかけて形成した孔に挿入して固定する本体部と、この本体部に係合させて摺動建具の下端から下方に送り出される高さ調整係合部と、本体部内に取り付けて本体部に対して上記の高さ調整係合部を所望長さだけ出没させる出没操作機構とからなり、
本体部は、縦孔と、凹部と、上記の縦孔に対して側方から交差するようにして通ずる横孔とを少なくとも有し、
高さ調整係合部は、当接部と、この当接部の片側に取り付けて本体部の凹部に係合して出没可能として係合凸部とを有し、
出没操作機構は、上記の当接部の片側に取り付けたネジ軸と、中央に貫通するネジ穴を有して本体部の縦孔の所定箇所に回転可能に取り付けられネジ穴が上記のネジ軸にねじ合わされる傘歯車Ａと、本体部の横孔に回転可能に装着されて上記の摺動建具に装着した場合に開口の外側に一端が臨む操作軸部と、この操作軸部の他端に取り付けて上記の傘歯車Ａと噛み合って回転させる傘歯車Ｂと、からなる構成を特徴とする建具用滑り具。
【請求項２】
障子や引き戸や襖等の摺動建具（家具の引き戸も含む。）の下端側の側部に形成した開口に通じるように摺動建具の下端から内部にかけて形成した孔に挿入して固定する本体部と、この本体部に係合させて摺動建具の下端から下方に送り出される高さ調整係合部と、本体部内に取り付けて本体部に対して上記の高さ調整係合部を所望長さだけ出没させる出没操作機構とからなり、
本体部は、縦孔と、凹部と、上記の縦孔に対して側方から交差するようにして通ずる横孔とを少なくとも有し、
高さ調整係合部は、ローラと、このローラを回転自在に支持するブラケットと、このブラケットに片側に取り付けて本体部の凹部に係合して出没可能として係合凸部とを有し、
出没操作機構は、上記のブラケットに取り付けたネジ軸と、中央に貫通するネジ穴を有して本体部の縦孔の所定箇所に回転可能に取り付けられネジ穴が上記のネジ軸にねじ合わされる傘歯車Ａと、本体部の横孔に回転可能に装着されて上記の摺動建具に装着した場合に開口の外側に一端が臨む操作軸部と、この操作軸部の他端に取り付けて上記の傘歯車Ａと噛み合って回転させる傘歯車Ｂと、からなる構成を特徴とする建具用滑り具。
【発明の詳細な説明】
【技術分野】
【０００１】
本発明は、襖、引き戸、窓、障子等の摺動建具（家具の引き戸も含む。）に取り付けて使用する建具用滑り具に関する。
【背景技術】
【０００２】
一般に敷居に嵌め込んだ障子や引き戸等の摺動建具が、敷居に対する柱との間で目視できるような隙間を生じている場合、一旦敷居から外して摺動建具の下端面をカンナで削り、再び敷居に嵌め込んでまだ隙間が生じているようであれば再び敷居から外して削り直し、再び敷居に嵌め込む、といった作業を繰り返さねばならなかった。そのため、この柱に対する摺動建具の傾き修正作業は、手間も時間もかかり甚だ大変な作業であった。また熟練者でないと上手く調整することができなかった。
【０００３】
そこで、このような削り作業をなくして、柱に対する摺動建具の傾きを修正できる建具用滑り具が、従来から開発されている。
【０００４】
例えば図６に示す従来例の建具用滑り具１００は、摺動建具(図示省略)の下端部に形成した孔に挿入してネジで固定する本体部１０１と、この本体部１０１の下端開口１０２から内部の空洞部１０３に挿入して出没する軸部１０４(図７参照)と、上記軸部１０４の下端に形成した当接部１０５とからなるものである。さらに本体部１０１の側部には、ネジ頭移動用溝１０８と縦長穴１０７が形成され、この縦長穴１０を介してネジ１０６が上記の軸部１０４にねじ付けてある。このネジ１０６を締めることによって軸部１０４を本体部１０１に固定することができ、またネジ１０６を緩めることによって軸部１０４を自由に本体部１０１から所望の長さだけ外に出すことができる。
【０００５】
柱等に対する摺動建具の傾きを修正する場合には、一旦上記のネジ１０６を緩めて、傾きによる摺動建具と敷居との隙間の距離分だけ軸部１０４および当接部１０５を敷居側に出す。そして当接部１０５が敷居に当たる状態にしてネジ１０６を締め付け、軸部１０４を本体部１０１に固定する。この従来例の建具用滑り具１００は、上記のようにして摺動建具の傾き修正を行うものである。
【０００６】
しかしながら、上記の建具用滑り具１００による摺動建具の傾きの修正では、ネジ１０６を緩めた場合に軸部１０４が自然に下がってしまい、少しでも摺動建具が敷居側に動くと軸部１０４は本体部１０１内に入ってしまう。そのため、この状態でネジ１０６を締め付けて軸部１０４を本体部１０１に固定してしまうと、摺動建具の正確な傾き修正ができていない状態で修正したことになってしまう。そこで、摺動建具の正確な傾き修正を行うには、例えば摺動建具が動かないように摺動建具を傾けた状態で人手によって支え、軸部１０４を本体部１０１から自然に下がった状態にしてネジ１０６を締め付け、本体部１０１に軸部１０４を固定しなければならなかった。このことは、摺動建具の傾き修正作業を一人で正確に行うといったことは難しく、また、上記したよう摺動建具の傾き修正が正確にできていない状態で本体部１０１に軸部１０４を固定してしまうと、再びネジ１０６を緩めて摺動建具の傾き修正作業を行わねばならなかった。そのため従来の建具用滑り具１００では、正確で迅速な傾き修正を行うといった観点から問題であった。
【０００７】
なお、参考の特許文献を以下に例示する。
【特許文献１】特開２００３−３２８６３２号公報
【特許文献２】特開２００３−１２９７３３号号公報
【特許文献３】特開２００２−２４２５１８号公報
【特許文献４】特開２００２−４６９８号公報
【発明の開示】
【発明が解決しようとする課題】
【０００８】
本発明は上記のような点に鑑みて開発されたものである。その目的とするところは、従来の建具用滑り具の問題点を解消し、摺動建具の傾き修正作業を一人で短時間に正確にかつ容易に行うことができる建具用滑り具を提供することにある。
【課題を解決するための手段】
【０００９】
請求項１記載の本発明は、障子や引き戸や襖等等の摺動建具（家具の引き戸も含む。）の下端側の側部に形成した開口に通じるように摺動建具の下端から内部にかけて形成した孔に挿入して固定する本体部と、この本体部に係合させて摺動建具の下端から下方に送り出される高さ調整係合部と、本体部内に取り付けて本体部に対して上記の高さ調整係合部を所望長さだけ出没させる出没操作機構とからなり、本体部は、縦孔と、凹部と、上記の縦孔に対して側方から交差するようにして通ずる横孔とを少なくとも有し、高さ調整係合部は、当接部と、この当接部の片側に取り付けて本体部の凹部に係合して出没可能として係合凸部とを有し、出没操作機構は、上記の当接部の片側に設けたネジ軸と、中央に貫通するネジ穴を有して本体部の縦孔の所定箇所に回転可能に設けられネジ穴が上記のネジ軸にねじ合わされる傘歯車Ａと、本体部の横孔に回転可能に装着されて上記の摺動建具に装着した場合に開口の外側に一端が臨む操作軸部と、この操作軸部の他端に取り付けて上記の傘歯車Ａと噛み合って回転させる傘歯車Ｂと、からなる構成を特徴とする建具用滑り具である。
【００１０】
また、請求項２記載の本発明は、障子や引き戸や襖等の摺動建具（家具の引き戸も含む。）の下端側の側部に形成した開口に通じるように摺動建具の下端から内部にかけて形成した孔に挿入して固定する本体部と、この本体部に係合させて摺動建具の下端から下方に送り出される高さ調整係合部と、本体部内に取り付けて本体部に対して上記の高さ調整係合部を所望長さだけ出没させる出没操作機構とからなり、本体部は、縦孔と、凹部と、上記の縦孔に対して側方から交差するようにして通ずる横孔とを少なくとも有し、高さ調整係合部は、ローラと、このローラを回転自在に支持するブラケットと、このブラケットに片側に取り付けて本体部の凹部に係合して出没可能として係合凸部とを有し、出没操作機構は、上記のブラケットに設けたネジ軸と、中央に貫通するネジ穴を有して本体部の縦孔の所定箇所に回転可能に設けられネジ穴が上記のネジ軸にねじ合わされる傘歯車Ａと、本体部の横孔に回転可能に装着されて上記の摺動建具に装着した場合に開口の外側に一端が臨む操作軸部と、この操作軸部の他端に取り付けて上記の傘歯車Ａと噛み合って回転させる傘歯車Ｂと、からなる構成を特徴とする建具用滑り具である。
【発明の効果】
【００１１】
本発明では、摺動建具の下端から内部にかけて形成した孔に取り付けることにより、柱等に対して摺動建具が傾いている際に、摺動建具の側部の開口に臨む操作軸部を回すことによって、傘歯車Ａと傘歯車Ｂを介してネジ軸を上下動させることができ、摺動建具の下端と摺動面との隙間(高さ)をネジ軸と当接部またはローラとで補って摺動建具の傾きを調整することができる。このように摺動建具の傾き修正を、操作軸部を回すことによって簡単にかつ迅速に行うことができ、また傘歯車Ａと傘歯車Ｂ、および傘歯車Ｂとネジ軸との噛み合いによってネジ軸の上下移動を微妙に調整することができ、摺動建具の傾きの微妙な調整にも容易に対応することができる。さらに、傘歯車Ａと傘歯車Ｂとは、摺動建具の自重が作用した状態で噛み合うことになるので、摺動建具を開閉移動させて使用しても傘歯車Ａと傘歯車Ｂとが自然に回転してしまうといったこともなく、摺動建具の開閉使用によって傾き修正に狂いを生じさせてしまうこともない。また、本体部の凹部に高さ調整係合部の係合凸部が出没可能に係合しているので、摺動建具の移動時に、傘歯車Ａと傘歯車Ｂとの噛み合い、および傘歯車Ａとネジ軸とのねじ合わせ箇所に横方向からの力が直接かかるのを凹部と係合凸部との係合で防ぐため、傘歯車Ａと傘歯車Ｂとの噛み合い、および傘歯車Ａとネジ軸とのねじ合わせ箇所に悪影響を及ぼすのを防止できる。
【発明を実施するための最良の形態】
【００１２】
以下、本発明を実施するための最良の形態を図に基いて説明する。
図１〜図３は本発明にかかる一例の建具用滑り具に関する図であって、この建具用滑り具１は、本体部２と、高さ調整係合部３と、出没操作機構４とによって構成され、摺動建具５に取り付けて使用する。この場合の摺動建具５とは、建築物に取り付ける襖、引き戸、窓、障子、並びに家具の引き戸等である。
【００１３】
本体部２は、摺動建具５の幅６よりも狭い幅に形成された略直方体形状のものであって、摺動建具５(図３参照)の下端７側の側部８に形成した開口９に通じるように、摺動建具５の下端７から内部にかけて垂直方向に形成した孔１０に挿入して取り付けるものである。
【００１４】
この本体部２(図１、図２参照)には、上部側に摺動建具５に固着するネジ１１(図３参照)を通す貫通孔１２と、傘歯車Ａとネジ軸１３を収納する縦孔１４と、傘歯車Ａを取り付ける縦孔１４の箇所に通じる横孔１５と、仕切り部１６を介して縦孔１４の両側に形成した凹部１７とを形成してある。
【００１５】
上記の貫通孔１２(図２参照)と直交するように形成された縦孔１４とは、仕切り部１８によって仕切られている。縦孔１４の略中央部は、傘歯車Ｂを水平にかつ回転自在に保持できるように傘状の一部形状を、両側の仕切り部１６に形成してある。
【００１６】
仕切り部１６を介して縦孔１４の両側に形成された各凹部１７は、直方体形状の空間であって、高さ調整係合部３の各係合凸部１９を出没可能に収納する。また、本体部２の中間部には、横孔１５方向に対して直交する方向に開放する開口２０が形成されていて、傘歯車Ａ、傘歯車Ｂの本体部２内への組み込み時に開口２０から挿入できるようにしてある。
【００１７】
上記の高さ調整係合部３は、板状の当接部２１と、この当接部２１の片側に取り付けて上記したように本体部２の各凹部１７に係合して出没可能とした１対の係合凸部１９とからなる。当接部２１の片側には、ネジ軸１３の下部をはめ込む穴（図示省略）と、この穴と繋がってネジ軸１３の下部を係止する長方形状の係止溝（図示省略）とが形成してあり、ネジ軸１３を当接部２１の中央に垂直に取り付けられるようにしてある。勿論、当接部２１に対するネジ軸１３の取り付け構成は、その他の如何なる構成であってもよい。
【００１８】
出没操作機構４は、上記の当接部２１の片側に取り付けるネジ軸１３と、中央に貫通するネジ穴（図示せず）を有した上記の傘歯車Ａと、本体部２の横孔１５に回転可能に装着される操作軸部２４と、この操作軸部２４の他端に取り付けて上記の傘歯車Ａと噛み合わせて回転させる傘歯車Ｂとからなる。なお、本発明にかかる操作軸部２４と傘歯車Ｂとは、それぞれ別々に形成したもの、或いは一体形成したものである。
【００１９】
ネジ軸１３は、円柱部材の略中間分から上端までにネジ部２５を形成してある。ネジ部２５は傘歯車Ａのネジ穴（図示せず）とネジ合わされている。傘歯車Ａが左右に回転することによってネジ軸１３は上下動する。
【００２０】
上記のネジ軸１３とネジ合う傘歯車Ａは、傘歯車Ｂと噛み合う。この傘歯車Ｂを一端に有する操作軸部２４の他端には、プラスドライバーを係合させることができるプラス溝２６が形成してある。操作軸部２４のプラス溝２６は、本体部２の側端２７に位置している。
【００２１】
このような構成からなる本発明にかかる建具用滑り具１(図３参照)にあっては、本体部２を摺動建具５の下端７から内部にかけて形成した孔１０に挿入し、ネジ１１を外から貫通孔１２に挿入して摺動建具５に先端部をネジ付け、本体部２を摺動建具５に固定する。摺動建具５に取り付けた建具用滑り具１の操作軸部２４のプラス溝２６は、摺動建具５の側部に臨み、外からプラスドライバーの先端を係合させられる状態になっている。また、当接部２１は摺動建具５の下端側に位置している。なお、本体部２を挿入する孔１０の位置は、摺動建具５の一側端部寄りまたは両側端部寄りに形成しておくのが好ましい。
【００２２】
上記のようにして摺動建具５に建具用滑り具１を取り付けておくことにより、敷居等に摺動建具５をはめ込んで柱や敷居等に対する傾きを目視等で確認し、この傾きを修正するために摺動建具５の側部からプラスドライバーで操作軸部２４を回して傘歯車Ｂ、傘歯車Ａを回転させ、当接部２１が敷居に当接するまで操作軸部２４を回してネジ軸１３を降下させる。このように操作軸部２４を回してネジ軸１３とともに当接部２１を降下させ、傾きによる敷居と摺動建具５の下端７との隙間をネジ軸１３と当接部２１とで補って、柱等に対する摺動建具５の傾きを修正する。このようにして傾きを修正することにより、摺動建具５の移動時（開け閉め操作時）にも円滑に摺動建具５を移動させることができる。また、上記したように出没操作機構４の傘歯車Ｂと傘歯車Ａ、並びに傘歯車Ａとネジ軸１３との噛み合わせによる作動により、ネジ軸１３と当接部２１との降下距離を正確にすることができ、微妙の傾き修正にも正確にかつ迅速に対応することができる。
【００２３】
図４、図５は本発明にかかる他の例の建具用滑り具１であって、上記の例の建具用滑り具１が敷居等に接する部分が当接部２１であるのに対し、この例ではローラ２９である点が相違する。その他の構成は先の例と略同じであり、同一箇所に同一符合を付してその部分の説明を省略する。なお、この例の建具用滑り具１は、家具の引き戸等に用いるとよい。
【００２４】
そこで、この例の建具用滑り具１における先の例との相違箇所の構成について説明すると、ネジ軸１３の下端部には下向きにコの字状のブラケット３０が取り付けてあり、このブラケット３０の下部にローラ２９を回転自在に取り付けてある。またブラケット３０の上部の両側には、本体部２の凹部１７に係合して出没可能として係合凸部１９が取り付けてある。
【００２５】
この例の建具用滑り具１においても、先の例と同様に摺動建具５の傾きを修正する場合には、摺動建具５の側部からプラスドライバーで操作軸部２４を回してローラ２９を降下させ、摺動建具５の傾きを容易に短時間に正確に修正することができる。
【００２６】
なお、本発明の建具用滑り具１において、操作軸部２４のプラス溝２６はマイナス溝または六角レンチを係合できる六角穴であってもよい。さらには、操作軸部２４を回すことができれば、本体部２の側面から外に位置するように操作軸部２４に形成した蝶ナットのような指を掛ける形状部の構成であってもよい。また、操作軸部２４を本体部２の側面から外に突出するように長く形成し、この突出した外周面にロレット加工を施して指で摘まんで操作軸部２４を回せるようにしてもよい。
【００２７】
また、本発明の建具用滑り具は、上記したように建物に取り付ける襖、引き戸、窓、障子、並びに家具の引き戸や、その他の物の摺動部に取り付けて使用することができるものである。
【図面の簡単な説明】
【００２８】
【図１】本発明の一例の建具用滑り具の斜視図である。
【図２】本発明の一例の建具用滑り具の一部を切欠した斜視図である。
【図３】本発明の一例の建具用滑り具を、一部を切欠した摺動建具に取り付けた状態の説明図である。
【図４】本発明の他の例の建具用滑り具の一部を切欠した斜視図である。
【図５】本発明の他の例の建具用滑り具を、一部を切欠した摺動建具に取り付けた状態の説明図である。
【図６】従来例の建具用滑り具の斜視図である。
【図７】従来例の建具用滑り具の軸部および当接部を引き出した状態の斜視図である。
【符号の説明】
【００２９】
１      建具用滑り具
２      本体部
３      高さ調整係合部
４      出没操作機構
５      摺動建具
９      開口
１０    孔
１３    ネジ軸
１４    縦孔
１５    横孔
１７    凹部
１９    係合凸部
２１    当接部
２３    ネジ穴
２４    操作軸部
２９    ローラ
３０    ブラケット
【図１】
2006070442.tif 000003
【図２】
2006070442.tif 000004
【図３】
2006070442.tif 000005
【図４】
2006070442.tif 000006
【図５】
2006070442.tif 000007
【図６】
2006070442.tif 000008
【図７】
2006070442.tif 000009